(57)【要約】【課題】ビューファインダの覗き窓部分が汚れにくい構造のビデオカメラを提供する。【解決手段】ビデオカメラ本体２にビューファインダ１１を一体的に設けたビデオカメラ１であって、前記ビューファインダ１１の覗き窓部分構成する透明板部材１３を、外部に対し露呈させ及び隠蔽するための開閉可能なカバー部材３０を設けた。【選択図】　図１
2004104238.tif 000002
【特許請求の範囲】
【請求項１】
ビデオカメラ本体にビューファインダを一体的に設けたビデオカメラであって、
前記ビューファインダの覗き窓部分を外部に対し露呈させ及び隠蔽するための開閉可能なカバー部材
を備えていることを特徴とするビデオカメラ。
【請求項２】
ビデオカメラ本体にビューファインダを一体的に設けたビデオカメラであって、
前記ビューファインダの覗き窓部分を外部に対し露呈させ及び隠蔽するための開閉可能なカバー部材と、
前記カバー部材の開閉移動に連動して容積が拡縮変化する容積変化室と、
該容積変化室と前記ビューファインダとの間に設けられ、該容積変化室の拡縮変化によって生じる該容積変化室内の雰囲気と前記ビューファインダ内の雰囲気との差圧に基づき、前記ビューファインダ内の雰囲気を該容積変化室内へ排出制御する制御手段と
を備えていることを特徴とするビデオカメラ。
【請求項３】
前記カバー部材には、その開閉移動に連動して前記ビューファインダの覗き窓部分の外表面を摺接しながら移動するクリーニング部材が備えられていることを特徴とする請求項１又は２記載のビデオカメラ。
【発明の詳細な説明】
【０００１】
【発明の属する技術分野】
本発明は、ビデオカメラに係り、特にビューファインダを備えたビデオカメラに関する。
【０００２】
【従来の技術】
従来、ビデオカメラのビューファインダは、レンズ部、ＶＴＲ（ビデオテープレコーダ）部、等が設けられたビデオカメラ本体に突出して設けられていた。
しかし、最近は、ビデオカメラ本体の小型化が進み、ビューファインダは、レンズ部、ＶＴＲ（ビデオテープレコーダ）部、等が設けられたビデオカメラ本体に収容され、ビデオカメラの外観上では、ビューファインダの覗き窓部分のみがビデオカメラ本体表面に露呈している構成が採用されている。
【０００３】
【発明が解決しようとする課題】
しかしながら、この種のビューファインダの覗き窓部分のみがビデオカメラ本体表面に露呈している構成のビデオカメラにおいては、次に延べるような問題点があった。
【０００４】
まず、ビューファインダの覗き窓部分は、常時、ビデオカメラ本体表面に露呈しているため、ビューファインダの覗き窓部分表面が汚れやすく、ユーザは撮影の度に、覗き窓部分表面が汚れていないか確認し、汚れている場合は拭き清掃を行わなければならなかった。
【０００５】
また、図５に示すように、ビューファインダ１１１は、覗き窓１１３が設けられたファインダケース１１２内に、撮影画像を映す小型液晶表示素子１２２と、拡大レンズ１２３等からなる光学系１２１を配置して構成されるが、その組み立て時等に、ファインダケース１１２内の光学系１２１に僅かでも微小な塵埃が入り込んでしまうと、この微小な塵埃が撮影時に拡大レンズ１２３によって拡大されて見えてしまい、撮影画像の確認の妨げになってしまう虞がある。
【０００６】
この問題については、半導体製造工程にたとえられる大規模なクリーンルーム施設を利用してビューファインダ１１１を組み立てるのであれば問題は生じないが、コスト等の面を考慮すると現実的ではなく、実際は簡易的なクリーンルームを用いてビューファインダ組み立てを行い、検査工程において光学系１２１に微小な塵埃が入り込んでいないかを確認し、微小な塵埃の侵入が確認された場合は、図５、図６に示すようにして、ファインダケース１１２内の光学系１２１の清掃を行わなければならなかった。
図５は、従来のビューファインダの一例の構成図である。
図６は、従来のビューファインダの別例の構成図である。
【０００７】
図５に示すビューファインダ１１１にあっては、ファインダケース１１２が、小型液晶表示素子１２２が収容された有底筒状のケース部材１１４の開口側外周面を、拡大レンズ１２３が収容され一端が覗き窓１１３となって閉塞された筒状のケース部材１１５の他端側内周面に嵌合した構成となっている。そして、ファインダケース１１２内の光学系１２１を清掃する場合は、ケース部材１１４をケース部材１１５から取り外すことによって行えるようになっている。
【０００８】
これに対し、図６に示すビューファインダ１１１にあっては、ファインダケース１１２には、清掃用開口１１６が形成されており、常時は蓋体１１７によって閉塞密閉されている構成となっている。そして、ビューファインダケース１１２内の光学系１２１を清掃する場合は、蓋体１１７を清掃用開口１１６から取り外し、清掃用開口１１６より行えるようになっている。
【０００９】
しかしながら、図５、図６何れのビューファインダ１１１とも、一旦、ビューファインダ１１１をビデオカメラ本体ケースから取り外さなければ、その光学系１２１を清掃が行えなかった。
【００１０】
本発明は、これら上述した問題点を鑑みなされたものであって、ビューファインダの覗き窓部分が汚れにくい構造のビデオカメラを提供することを、その第１の目的とする。
また、本発明は、ビューファインダの覗き窓部分の汚れの清掃が、ビデオカメラの撮影操作を行うことによって自動的に行えるビデオカメラを提供することを、その第２の目的とする。
さらに、本発明は、ビューファインダケース内の光学系の清掃を、ビューファインダをビデオカメラ本体ケースから取り外すことなく行えるビデオカメラを提供することを、その第３の目的とする。
【００１１】
【課題を解決するための手段】
上記した問題点を解決するために、本発明のビデオカメラは、ビデオカメラ本体にビューファインダを一体的に設けたビデオカメラであって、前記ビューファインダの覗き窓部分を外部に対し露呈させ及び隠蔽するための開閉可能なカバー部材を備えていることを特徴とする。
これにより、本発明のビデオカメラによれば、ビューファインダの覗き窓部分が汚れるのを防ぐことができる。
【００１２】
また、本発明のビデオカメラは、ビデオカメラ本体にビューファインダを一体的に設けたビデオカメラであって、前記ビューファインダの覗き窓部分を外部に対し露呈させ及び隠蔽するための開閉可能なカバー部材と、前記カバー部材の開閉移動に連動して容積が拡縮変化する容積変化室と、該容積変化室と前記ビューファインダとの間に設けられ、該容積変化室の拡縮変化によって生じる該容積変化室内の雰囲気と前記ビューファインダ内の雰囲気との差圧に基づき、前記ビューファインダ内の雰囲気を該容積変化室内へ排出制御する制御手段とを備えていることを特徴とする。
【００１３】
これにより、本発明のビデオカメラによれば、カバー部材を開閉することによって、ビューファインダ内の光学系の清掃を、ビューファインダをビデオカメラ本体ケースから取り外すことなく行うことができ、ビューファインダの覗き窓部分の内面に発生する結露の防止、除去も行える。
【００１４】
さらに、本発明のビデオカメラでは、前記カバー部材には、その開閉移動に連動して前記ビューファインダの覗き窓部分の外表面を摺接しながら移動するクリーニング部材が備えられていることを特徴とする。
【００１５】
これにより、本発明のビデオカメラによれば、さらに、カバー部材を、ビデオカメラの撮影操作に関連して開閉することによって、ビューファインダの覗き窓部分の汚れが、自動的に清掃できる。
【００１６】
【発明の実施の形態】
以下、添付図面を参照しながら本発明の好適な実施の形態について詳細に説明する。
【００１７】
図１は、本発明の一実施の形態によるビデオカメラの外観斜視図である。
本実施の形態のビデオカメラ１は、ビデオカメラ本体２に、レンズ部、ＶＴＲ（ビデオテープレコーダ）部、ビューファインダ、液晶モニタを一体的に設けた構成になっている。
【００１８】
本実施の形態の場合では、ビデオカメラ本体２は、ＶＴＲ部収容部分２Ａの側方に、レンズ部収容部分２Ｂ、ビューファインダ収容部分２Ｃ、及び液晶モニタ部分２Ｄが配置され、さらに、ビューファインダ収容部分２Ｃは、レンズ部収容部分２Ｂと、その光軸ｘ方向に直列に並んで配置され、液晶モニタ部分２Ｄは、このレンズ部収容部分２Ｂ及びビューファインダ収容部分２Ｃの下部に配置されて構成されている。
【００１９】
そして、液晶モニタ部分２Ｄは、ビデオカメラ本体２の他部２Ａ〜２Ｃに対し、前記光軸ｘ−ｘ方向に関してレンズ部収容部分２Ｂ側の端部２Ｄｒが固定端となり、反対側のビューファインダ収容部分２Ｃ側の端部２Ｄｖが揺動端となって揺動自在に取り付けられ、そのモニタ画面が出没可能になっている。なお、図１及び後述の図２では、モニタ画面が隠蔽されている液晶モニタ部分２Ｄの回動状態で、ビデオカメラ本体２が示されている。
【００２０】
ところで、ビューファインダ収容部分２Ｃを構成する部分のビデオカメラ本体２のハウジング部分には、後述するビューファインダの覗き窓部分１３が臨む矩形状の開口部２Ｃｏが開口し、その開口面はその長さ方向に湾曲した曲面形状になっている。
そして、開口部２Ｃｏ部分には、カバー部材３０が、図１及び図２に示すように、開閉自在に設けられている。
【００２１】
図２は、図１に示したビデオカメラのカバー部材を開いた状態の外観斜視図である。
次に、本実施の形態のビデオカメラ１における、ビデオカメラ本体２のビューファインダ収容部分２Ｃの詳細な構成について、図３及び図４によって説明する。
【００２２】
図３は、本実施の形態のビデオカメラにおいて、カバー部材を閉じた状態のビューファインダ収容部分の断面図である。
【００２３】
図４は、本実施の形態のビデオカメラにおいて、カバー部材を開いた状態のビューファインダ収容部分の断面図である。
ビューファインダ１１は、本実施の形態では、有底の筒状のケース部材１４内に、撮影画像を映す小型液晶表示素子２２、拡大レンズ２３等の光学系２１を、奥部側から開口側に向けて順番に配設し、その開口１４ｏを、ガラス、透明樹脂等といった透明板部材１３によって閉塞して構成されている。この透明板部材１３は、ビューファインダ１１の外部からの覗き窓部分を構成し、ケース部材１４と一体となって、ファインダケース１２を構成する。
【００２４】
本実施の形態では、ファインダケース１２の透明板部材１３が設けられた側の端面１２ａの断面形状、すなわち、透明板部材１３の外表面断面形状は、図３及び図４に示すように、所定大きさの半径（曲率半径）を有する円弧形状に形成され、透明板部材１３の外表面は、所定大きさの半径（曲率半径）を有する円弧面となっている。
【００２５】
また、ファインダケース１２には、上述した透明板部材１３の外表面の円弧方向一側におけるケース部材１４の周壁部分１４ａに、その奥行き方向に小型液晶表示素子２２と拡大レンズ２３との間の位置させて、ファインダケース１２のケース内外を連通するための連通孔１５が、貫通して設けられている。この連通孔１５には、微小な塵埃等が外部からケース内への侵入を阻止するためのフィルタ部材１６が設けられている。
【００２６】
同じく、ファインダケース１２には、上述した透明板部材１３の外表面の円弧方向他側におけるケース部材１４の周壁部分１４ｂに、その奥行き方向に小型液晶表示素子２２と拡大レンズ２３との間の位置させて、ファインダケース１２のケース内外を連通するための連通孔１７が、貫通して設けられている。この連通孔１７には、外部からケース内への空気の流入を阻止するためのチェック弁１８が設けられている。
本実施の形態では、ファインダケース１２は、ビデオカメラ本体２のハウジングに固定されて設けられている。
【００２７】
一方、本実施の形態では、カバー部材３０は、一対の扇形形状の側板部３０ａ，３０ａ（図３，４においては、その一方の側板部３０ａのみが現われている）と、この一対の側板部３０ａの円弧縁部同士を連結する周壁部３０ｂと、同じく一対の側板部３０ａの一側の半径縁部同士を連結する径壁部３０ｃとから構成されている。
【００２８】
このカバー部材３０の一対の側板部３０ａの他側の半径縁部同士間は開放され、上記したカバー部材３０の一対の側板部３０ａ、周壁部３０ｂ、及び径壁部３０ｃによって形成される内部空間Ｓ内にファインダケース１２を収容し、又この内部空間Ｓ内に収容されたファインダケース１２を取り出すための、ビューファインダ収容開口部３０ｄとなっている。
【００２９】
このカバー部材３０の内部空間Ｓは、ビューファインダ１１のファインダケース１２を、その覗き窓部を構成する透明板部材１３を周壁部３０ｂによって外部に対して隠蔽した状態で、収容可能な容量を有しており、ファインダケース１２は。チェック弁１８が設けられたケース部材１４の周壁部分１４ｂ側から収容される。
【００３０】
そのため、カバー部材３０の周壁部３０ｂの内周面は、前述したファインダケース１２の透明板部材１３の円弧面からなる外表面の半径（曲率半径）に対して、ほぼ同じ、又は僅かに大きな半径（曲率半径）を有する円弧面によって構成されている。その上で、周壁部３０ｂの内周面には、清掃布等からなるクリーニング部材３１が、当該内周面に沿わせて帖設されている。
【００３１】
本実施の形態では、クリーニング部材３１は、例えば、ゴム等の弾性部材からなる基板３２上に薄い清掃布３３を帖設した構造となっている。
また、カバー部材３０の径壁部３０ｃには、内部空間Ｓを、ビューファインダ収容開口部３０ｄによらずに外部と連通させるための連通孔３４が、貫通して設けられている。この連通孔３４には、外部から内部空間Ｓへの空気の流入を阻止するためのチェック弁３５が設けられている。
【００３２】
そして、上記のように構成されたカバー部材３０は、その周壁部３０ｂの内周面に設けられたクリーニング部材３１の清掃布３３を、ビューファインダ１１の覗き窓部を構成する透明板部材１３の外表面に、クリーニング部材３１の基板３２を構成する弾性部材が縮厚するように密着させながら、ビデオカメラ本体２内を回動できるように取り付けられている。
【００３３】
その取り付け構成としては、例えば、図３及び図４に示すように、カバー部材３０のビューファインダ収容開口部３０ｄを形成する径壁部３０ｃの外壁面に固設した固定軸部３６を、図示せぬビデオカメラ本体２のハウジングに設けた軸受け部によって軸支した構成となっている。
【００３４】
加えて、カバー部材３０のビューファインダ収容開口部３０ｄを形成する径壁部３０ｃ及び一対の側板部３０ａの内壁面には、シール部材３７が設けられ、ビューファインダ１１のファインダケース１２の一部又は全部がカバー部材３０の内部空間Ｓに収容された状態で、カバー部材３０の一対の側板部３０ａ及び径壁部３０ｃのそれぞれ内面と、ファインダケース１２のケース部材１４のそれぞれ対向面との間に形成される隙間の気密性を保てる構造となっている。
これらクリーニング部材３１及びシール部材３７によって、カバー部材３０の内部空間Ｓ内のファインダケース１２後方には、気密性が確保された容積変化室Ｖが形成される。
【００３５】
以上述べた構成によって、本実施の形態では、図３に示した、ビューファインダ１１のファインダケース１２の覗き窓部分を構成する透明板部材１３を外部に対して隠蔽した状態のファインダケース１２の収容位置と、図４に示した、透明板部材１３を外部に対して露呈させた状態のファインダケース１２の収容位置との間で、カバー部材３０は、そのクリーニング部材３１の清掃布３３を透明板部材１３に摺接させながら、固定軸部３６を中心として回動できる構成となっている。
【００３６】
さらに、本実施の形態においては、カバーケース３が、図３に示した、ビューファインダ１１の覗き窓部を構成するファインダケース１２の透明板部材１３を外部に対して隠蔽した状態にあるカバーケース３の側板部３０ａによって押動閉成されるスイッチ３８と、図４に示した、透明板部材１３を外部に対して露呈させた状態にあるカバーケース３の側板部３０ａによって押動閉成されるスイッチ３９とが、ビデオカメラ本体２内のハウジングに取り付けられている。このスイッチ３８，３９は、カバー閉検出スイッチ，カバー開検出スイッチをそれぞれ構成する。
【００３７】
本実施の形態のビデオカメラ１は、以上説明したように構成されるが、次にその作用について説明する。
本実施の形態のビデオカメラ１では、撮影等に使用しない場合は、ユーザは、カバー部材３０を回動操作して、図１及び図３に示すように、その周壁部３０ｂによってビューファインダ１１の覗き窓部を構成するファインダケース１２の透明板部材１３を外部に対して隠蔽した状態に保持しておく。
【００３８】
これにより、ビデオカメラ１を撮影等に使用しない場合は、ビューファインダ１１の覗き窓部を構成する透明板部材１３の外表面は、外部に露呈することがないので、汚れが付着することを防止できる。
【００３９】
そして、ユーザが、撮影等で使用する場合等にカバー部材３０を回動操作して、図１及び図３に示した状態から、図２及び図４に示した状態にすることに関係して、カバー部材３０の周壁部３０ｂの内周面に設けたクリーニング部材３１の清掃布３３が、透明板部材１３に摺接しながら移動する。これにより、ビューファインダ１１の覗き窓部を構成する透明板部材１３の外表面に付着した手の脂等の汚れも、清掃除去することができる。
【００４０】
さらに、上記ユーザによるカバー部材３０の開操作に関連し、カバー部材３０の内部空間Ｓ内のファインダケース１２後方にある気密性が確保された容積変化室Ｖの容積は拡大し、容積変化室Ｖ内の雰囲気は元の雰囲気圧状態（大気圧）に対して陰圧状態になる。その際、この容積変化室Ｖの陰圧状態になった雰囲気を補充するため、ファインダケース１２に設けられた連通孔１７のチェック弁１８が、この容積変化室Ｖの雰囲気圧とフィルタ部材１６を介して大気開放されたファインダケース１２内の雰囲気圧との差圧によって開弁する。
【００４１】
この結果、ファインダケース１２内の雰囲気が連通孔１７を介して容積変化室Ｖ内に流入し、ファインダケース１２内には、フィルタ部材１６を介して大気が補充される。そして、容積変化室Ｖの上述した陰圧状態が解消されると、ファインダケース１２に設けられたチェック弁１８は閉弁する。
【００４２】
この一連の行程によって、ファインダケース１２内の光学系２１に微小な塵埃が入り込んでしまっていた場合でも、上記陰圧状態になった容積変化室Ｖへの雰囲気をファインダケース１２内の雰囲気で補充するのに伴い、ファインダケース１２内の光学系２１に入り込んでしまっていた微小な塵埃も、ファインダケース１２内から容積変化室Ｖ内へ除去することが可能になる。
【００４３】
また、ファインダケース１２内の雰囲気も、カバー部材３０の開操作に伴い、連通孔１５に設けたフィルタ部材１６を介してファインダケース１２外部の雰囲気と適宜置き換わるので、ビューファインダ１１の覗き窓部を構成するファインダケース１２の透明板部材１３の内表面にその外表面側との温度差で発生する結露も、その防止又は除去がはかれる。
【００４４】
逆に、ユーザが、撮影等が終了した場合等にカバー部材３０を回動操作して、図２及び図４に示した状態から、図１及び図３に示した状態にすることに関係しても、カバー部材３０の周壁部３０ｂの内周面に設けたクリーニング部材３１の清掃布３３が、透明板部材１３に摺接しながら移動する。これによっても、ビューファインダ１１の覗き窓部を構成する透明板部材１３の外表面に付着した手の脂等の汚れも、清掃除去することができる。
【００４５】
さらに、上記ユーザによるカバー部材３０の閉操作に関連し、カバー部材３０の内部空間Ｓ内のファインダケース１２後方にある気密性が確保された容積変化室Ｖの容積は収縮され、容積変化室Ｖ内の雰囲気は元の雰囲気圧状態（大気圧）に対して正圧状態になる。その際、この容積変化室Ｖの正圧状態になった雰囲気は、連通孔１７に設けられたチェック弁１８によりファインダケース１２内に流入する（戻る）ことができないため、カバー部材３０の径壁部３０ｃに設けられている連通孔３４のチェック弁３５を開弁し、連通孔３４からカバー部材３０外部に排出される。
【００４６】
この一連の行程によって、ファインダケース１２内の光学系２１から容積変化室Ｖに除去された微小な塵埃は、上記正圧状態になった容積変化室Ｖの雰囲気の排出に伴い、ファインダケース１２内の光学系２１に戻ることなく、容積変化室Ｖ内から外部へ除去することも可能になる。そのため、ファインダケース１２内から容積変化室Ｖに除去された微小な塵埃が、容積変化室Ｖ内の滞留し続けることを防ぐことができる。
【００４７】
したがって、ビューファインダ組み立て時の検査工程において、ビューファインダ１１の光学系２１への微小な塵埃の侵入が確認された場合であっても、カバー部材３０を開閉、又はその開閉を繰り返すことにより、ビューファインダ１１をビデオカメラ本体２から取り外すことなく、その除去が行える。
【００４８】
また、本実施の形態のビデオカメラ１は、カバー部材３０の開閉によって作動するカバー閉検出スイッチ３８，カバー開検出スイッチ３９を備えているので、これらスイッチをビデオカメラ１の電源スイッチ等に利用できる。
これにより、ユーザはわざわざ電源スイッチ等の操作片を操作せずとも、カバー部材３０の開閉によって、電源スイッチ等を操作することができる。
【００４９】
本実施の形態のビデオカメラ１は以上説明したとおりであるが、本発明は上記実施の形態に限定されるものではない。
例えば、カバー部材３０の構造も、少なくとも、ビューファインダ１１の覗き窓部を構成するファインダケース１２の透明板部材１３の外表面を隠蔽する構成であればよく、この場合、カバー部材３０はその内部空間Ｓを備えていなくてもよい。
【００５０】
また、ビューファインダ１１の光学系２１へ侵入した微小な塵埃を除去する構造についても、本実施の形態では、カバー部材３０を回動可能に支持し、カバー部材３０の内部空間Ｓに形成される容積変化室Ｖを容量変化させる構成としたが、カバー部材３０をビデオカメラ本体２のハウジングに摺動可能に支持し、カバー部材３０の内部空間Ｓに形成される容積変化室Ｖを容量変化させる構成としてもよく、さらに、容積変化室Ｖ自体を、カバー部材３０とビューファインダケース１２とは独立した別部材とで構成してもよく、要は、カバー部材３０の開閉に連動して容積変化する容積変化室Ｖとの差圧を利用するものであるならばよい。
【００５１】
【発明の効果】
以上のように、本発明のビデオカメラによれば、ビューファインダの覗き窓部分を外部に対し露呈させ及び隠蔽するための開閉可能なカバー部材を設けたことにより、ビューファインダの覗き窓部分が汚れるのを防ぐことができる。
また、上記カバー部材を、ビデオカメラの撮影操作に関連して開閉することによって、ビューファインダの覗き窓部分の汚れが、自動的に清掃できる。
【００５２】
さらに、本発明は、上記カバー部材を開閉することによって、ビューファインダケース内の光学系の清掃を、ビューファインダをビデオカメラ本体ケースから取り外すことなく行うことができ、ビューファインダの覗き窓部分の内面に発生する結露の防止、除去も行える。
【図面の簡単な説明】
【図１】本発明の一実施の形態によるビデオカメラの外観斜視図である。
【図２】図１に示したビデオカメラのカバー部材を開いた状態の外観斜視図である。
【図３】本実施の形態のビデオカメラにおいて、カバー部材を閉じた状態のビューファインダ収容部分の断面図である。
【図４】本実施の形態のビデオカメラにおいて、カバー部材を開いた状態のビューファインダ収容部分の断面図である。
【図５】従来のビューファインダの一例の構成図である。
【図６】従来のビューファインダの別例の構成図である。
【符号の説明】
１　ビデオカメラ
２　ビデオカメラ本体
２Ａ　ＶＴＲ部収容部分
２Ｂ　レンズ部収容部分
２Ｃ　ビューファインダ収容部分
２Ｃｏ　ビューファインダ開口部
２Ｄ　液晶モニタ部分
１１　ビューファインダ
１２　ファインダケース
１３　透明板部材
１４　ケース部材
１５　連通孔
１６　フィルタ部材
１７　連通孔
１８　チェック弁
２１　光学系
２２　小型液晶表示素子
２３　拡大レンズ
３０　カバー部材
３０ａ　側板部
３０ｂ　周壁部
３０ｃ　径壁部
３０ｄ　ビューファインダ収容開口部
３１　クリーニング部材
３２　基板
３３　清掃布
３４　連通孔
３５　チェック弁
３６　固定軸部
３７　シール部材
３８　スイッチ（カバー閉検出スイッチ）
３９　スイッチ（カバー開検出スイッチ）
Ｓ　内部空間
Ｖ　容積変化室
１１１　ビューファインダ
１１２　ファインダケース
１１３　覗き窓
１１４　ケース部材
１１５　ケース部材
１１６　清掃用開口
１１７　蓋体
１２１　光学系
１２２　小型液晶表示素子
１２３　拡大レンズ
【図１】
2004104238.tif 000003
【図２】
2004104238.tif 000004
【図３】
2004104238.tif 000005
【図４】
2004104238.tif 000006
【図５】
2004104238.tif 000007
【図６】
2004104238.tif 000008